【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物及び下記一般式（II）で表される化合物を含有することを特徴とするインクジェット用インク。
2009256601.tif 000001
（一般式（Ｉ）中、［Ａ］は置換されていてもよい芳香族基又は複素環基であり、−［Ｂ］−は下記一般式（１）乃至（５）のいずれかで表される基であり、Ｍはそれぞれ独立に、水素原子、アルカリ金属、アンモニウム、及び有機アンモニウムのいずれかである。）
2009256601.tif 000002
（一般式（１）乃至（５）中、Ｒ1乃至Ｒ9はそれぞれ独立に、水素原子、ハロゲン原子、脂肪族基、芳香族基、複素環基、カルボキシ基、カルバモイル基、アルコキシカルボニル基、アリールオキシカルボニル基、複素環オキシカルボニル基、アシル基、ヒドロキシ基、アルコキシ基、アリールオキシ基、複素環オキシ基、シリルオキシ基、アシルオキシ基、カルバモイルオキシ基、アルコキシカルボニルオキシ基、アリールオキシカルボニルオキシ基、アミノ基、アシルアミノ基、ウレイド基、スルファモイルアミノ基、アルコキシカルボニルアミノ基、アリールオキシカルボニルアミノ基、アルキル若しくはアリールスルホニルアミノ基、複素環スルホニルアミノ基、シアノ基、ニトロ基、アルキル若しくはアリールチオ基、複素環チオ基、アルキル若しくはアリールスルホニル基、複素環スルホニル基、アルキル若しくはアリールスルフィニル基、複素環スルフィニル基、スルファモイル基、及びスルホン酸基のいずれかであり、各基はさらに置換されていてもよい。）
2009256601.tif 000003
（一般式（II）中、−［Ｃ］−は、−Ｓ−、−Ｓ（＝Ｏ）−、又は−Ｓ（＝Ｏ）2−であり、Ｒ10及びＲ11はそれぞれ独立に、水素原子、ヒドロキシ基、アルキル基、ヒドロキシアルキル基、アルケニル基、アシル基、カルバモイル基、カルボキシ基、及びスルホニル基のいずれかである。ただし、Ｒ10及びＲ11が同時に水素原子及び／又はヒドロキシ基となることはない。）
【請求項２】
インク中の一般式（II）で表される化合物の含有量（質量％）が、インク全質量を基準として１．０質量％以上３０．０質量％以下である請求項１に記載のインクジェット用インク。
【請求項３】
前記一般式（II）中の−［Ｃ］−が−Ｓ（＝Ｏ）2−である請求項１又は２に記載のインクジェット用インク。
【請求項４】
前記一般式（II）で表される化合物が、ビス（２−ヒドロキシエチル）スルホンである請求項１乃至３のいずれか１項に記載のインクジェット用インク。
【請求項５】
さらにグリセリンを含有してなる請求項１乃至４のいずれか１項に記載のインクジェット用インク。
【請求項６】
インク全質量を基準とした、前記一般式（II）で表される化合物の含有量（質量％）及びグリセリンの含有量（質量％）の合計が、８．０質量％以上２３．０質量％以下である請求項５に記載のインクジェット用インク。
【請求項７】
インク全質量を基準とした、前記一般式（II）で表される化合物の含有量（質量％）が、グリセリンの含有量（質量％）に対して、質量比率で、０．４０以上５．９０以下である請求項５又は６に記載のインクジェット用インク。
【請求項８】
さらに、下記一般式（III）で表される化合物及び下記一般式（IV）で表される化合物を含有する請求項１乃至７のいずれか１項に記載のインクジェット用インク。
2009256601.tif 000004
（一般式（III）中、Ｒ12はそれぞれ独立に、水素原子、ヒドロキシ基、カルボキシ基、ヒドロキシ基若しくは炭素数１乃至４のアルコキシ基によって置換されていてもよい炭素数１乃至４のアルキル基、ヒドロキシ基若しくは炭素数１乃至４のアルコキシ基によって置換されていてもよい炭素数１乃至４のアルコキシ基、ヒドロキシ基若しくは炭素数１乃至４のアルコキシ基によって置換されていてもよい炭素数１乃至４のアルキルアミノ基、カルボキシ−炭素数１乃至５のアルキルアミノ基、ビス−〔カルボキシ−炭素数１乃至５のアルキル〕アミノ基、ヒドロキシ基若しくは炭素数１乃至４のアルコキシ基によって置換されていてもよい炭素数１乃至４のアルカノイルアミノ基、カルボキシ基若しくはスルホン酸基若しくはアミノ基で置換されていてもよいフェニルアミノ基、スルホン酸基、ハロゲン原子、及びウレイド基のいずれかであり、［Ｄ］はカルボキシ基又はスルホン酸基を有する脂肪族アミン残基であり、Ｍはそれぞれ独立に、水素原子、アルカリ金属、アンモニウム、及び有機アンモニウムのいずれかである。）
2009256601.tif 000005
（一般式（IV）中、［Ｅ］は置換基を有するフェニル基であり、該置換基は、カルボキシ基、スルホン酸基、塩素原子、シアノ基、ニトロ基、スルファモイル基、炭素数１乃至４のアルキル基、炭素数１乃至４のアルコキシ基（ヒドロキシ基、炭素数１乃至４のアルコキシ基、スルホン酸基、又はカルボキシ基で置換されていてもよい）、及び炭素数１乃至４のアルキルスルホニル基（ヒドロキシ基、スルホン酸基、又はカルボキシ基で置換されていてもよい）からなる群から選ばれるいずれかである。また、［Ｆ］及び［Ｇ］はそれぞれ独立に、置換基を有するパラフェニレン基であり、該置換基は、カルボキシ基、スルホン酸基、炭素数１乃至４のアルキル基、炭素数１乃至４のアルコキシ基（ヒドロキシ基、炭素数１乃至４のアルコキシ基、スルホン酸基、又はカルボキシ基で置換されていてもよい）、及び炭素数１乃至４のアルキルスルホニル基（ヒドロキシ基、スルホン酸基、又はカルボキシ基で置換されていてもよい）からなる群から選ばれるいずれかである。Ｒ13は、カルボキシ基で置換されていてもよい炭素数１乃至４のアルキル基、スルホン酸基で置換されていてもよいフェニル基、及びカルボキシ基のいずれかであり、Ｒ14は、シアノ基、カルバモイル基、及びカルボキシ基のいずれかであり、Ｒ15及びＲ16はそれぞれ独立に、水素原子、メチル基、塩素原子、及びスルホン酸基のいずれかである。）
【請求項９】
インクをインクジェット方式で吐出して記録を行うインクジェット記録方法であって、前記インクが、請求項１乃至８のいずれか１項に記載のインクジェット用インクであることを特徴とするインクジェット記録方法。
【請求項１０】
インクを収容してなるインク収容部を備えたインクカートリッジであって、前記インクが、請求項１乃至８のいずれか１項に記載のインクジェット用インクであることを特徴とするインクカートリッジ。
【請求項１１】
インクを収容してなるインク収容部と、インクを吐出するための記録ヘッドとを備えたインクジェット記録装置であって、前記インクが、請求項１乃至８のいずれか１項に記載のインクジェット用インクであることを特徴とするインクジェット記録装置。
【手続補正２】
【補正対象書類名】明細書
【補正対象項目名】発明の名称
【補正方法】変更
【補正の内容】
【発明の名称】インクジェット用インク、インクジェット記録方法、インクカートリッジ、及びインクジェット記録装置
【手続補正３】
【補正対象書類名】明細書
【補正対象項目名】０００１
【補正方法】変更
【補正の内容】
【０００１】
本発明は、インクジェット用インク、インクジェット記録方法、インクカートリッジ、及びインクジェット記録装置に関する。
【手続補正４】
【補正対象書類名】明細書
【補正対象項目名】００１０
【補正方法】変更
【補正の内容】
【００１０】
したがって、本発明の目的は、インクによって記録された画像が耐光性に優れ、インクの耐固着性や間欠吐出安定性にも優れるインクジェット用インクを提供することにある。さらには、熱エネルギーの作用によりインクを吐出するインクジェット記録方式に適用した場合にも、記録耐久性に優れ、また、ブラックインクとしての好ましい色調を有するインクジェット用インクを提供することにある。また、本発明の別の目的は、前記インクジェット用インクを用いることで、耐光性に優れる保存性の高い画像が安定して得られるインクジェット記録方法、インクカートリッジ、及びインクジェット記録装置を提供することにある。
【手続補正５】
【補正対象書類名】明細書
【補正対象項目名】００１１
【補正方法】変更
【補正の内容】
【００１１】
上記の目的は以下の本発明によって達成される。すなわち、本発明にかかるインクジェット用インクは、下記一般式（Ｉ）で表される化合物及び下記一般式（II）で表される化合物を含有することを特徴とする。
2009256601.tif 000006
（一般式（Ｉ）中、［Ａ］は置換されていてもよい芳香族基又は複素環基であり、−［Ｂ］−は下記一般式（１）乃至（５）のいずれかで表される基であり、Ｍはそれぞれ独立に、水素原子、アルカリ金属、アンモニウム、及び有機アンモニウムのいずれかである。）
2009256601.tif 000007
（一般式（１）乃至（５）中、Ｒ1乃至Ｒ9はそれぞれ独立に、水素原子、ハロゲン原子、脂肪族基、芳香族基、複素環基、カルボキシ基、カルバモイル基、アルコキシカルボニル基、アリールオキシカルボニル基、複素環オキシカルボニル基、アシル基、ヒドロキシ基、アルコキシ基、アリールオキシ基、複素環オキシ基、シリルオキシ基、アシルオキシ基、カルバモイルオキシ基、アルコキシカルボニルオキシ基、アリールオキシカルボニルオキシ基、アミノ基、アシルアミノ基、ウレイド基、スルファモイルアミノ基、アルコキシカルボニルアミノ基、アリールオキシカルボニルアミノ基、アルキル若しくはアリールスルホニルアミノ基、複素環スルホニルアミノ基、シアノ基、ニトロ基、アルキル若しくはアリールチオ基、複素環チオ基、アルキル若しくはアリールスルホニル基、複素環スルホニル基、アルキル若しくはアリールスルフィニル基、複素環スルフィニル基、スルファモイル基、及びスルホン酸基のいずれかであり、各基はさらに置換されていてもよい。）
2009256601.tif 000008
（一般式（II）中、−［Ｃ］−は、−Ｓ−、−Ｓ（＝Ｏ）−、又は−Ｓ（＝Ｏ）2−であり、Ｒ10及びＲ11はそれぞれ独立に、水素原子、ヒドロキシ基、アルキル基、ヒドロキシアルキル基、アルケニル基、アシル基、カルバモイル基、カルボキシ基、及びスルホニル基のいずれかである。ただし、Ｒ10及びＲ11が同時に水素原子及び／又はヒドロキシ基となることはない。）
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】変更
【補正の内容】
【００１６】
本発明によれば、インクによって記録した画像が耐光性に優れ、インクの耐固着性や間欠吐出安定性にも優れるインクジェット用インクが提供される。さらに本発明の別の実施態様によれば、熱エネルギーの作用によりインクを吐出するインクジェット記録方式に適用した場合にも、記録耐久性に優れ、また、ブラックインクとしての好ましい色調を有するインクジェット用インクが提供される。また、本発明によれば、前記インクジェット用インクを用いることで、耐光性に優れる画像を安定して得ることができるインクジェット記録方法、インクカートリッジ、及びインクジェット記録装置が提供される。